【事件の表示】
　特願２００２−２０５６０７「撮像装置および画像処理方法」拒絶査定不服審判事件〔平成１６年　２月１２日出願公開、特開２００４−　４８５６３〕について、次のとおり審決する。
【結　論】
　本件審判の請求は、成り立たない。
【理　由】
第１　経緯  
[１]手続　
　本願は、平成１４年７月１５日の出願であって、手続の概要は以下のとおりである。
　
　拒絶理由通知　　　　　　　　：平成１９年　３月２０日（起案日）
　手続補正（明細書の補正）　　：平成１９年　５月２１日
　拒絶査定　　　　　　　　　　：平成１９年　６月１２日（起案日）
　拒絶査定不服審判請求　　　　：平成１９年　７月１８日
　手続補正（明細書の補正）　　：平成１９年　８月１６日
　前置審査報告　　　　　　　　：平成１９年　９月１３日
　審尋　　　　　　　　　　　　：平成２１年１０月　６日（起案日）
　回答書　　　　　　　　　　　：平成２１年１１月１９日
　
[２]査定
　原審での査定の理由は、概略、以下のとおりである。
　本願の各請求項に係る発明は、下記刊行物に記載された発明および周知技術に基づいて当業者が容易に発明をすることができたものであるから、特許法第２９条第２項の規定により、特許を受けることができない。
　　　　　記　
刊行物１：特開平１１−１６８６５９公報
刊行物２：特開平１１−９８４１８公報（周知例として査定時に引用）
刊行物３：特開２００２−１６５２２６号公報（周知例として査定時に引用）
刊行物４：特開２００２−１３５７８７号公報（周知例として査定時に引用）
　
第２　補正却下の決定 
　平成１９年８月１６日付けの手続補正（以下、「本件補正」という。）について次のとおり決定する。 
 
《結論》
　平成１９年８月１６日付けの手続補正を却下する。
　
《理由１》 
［１］特許請求の範囲（補正前と補正後）
　本件補正は、特許請求の範囲についてする補正を含むところ、本件補正前および本件補正後の特許請求の範囲は、下記のとおりである。
　　　　　　　　　　記（補正前）
　　【請求項１】　高感度画像撮像用の第１固体撮像素子及び低感度画像撮像用の第２固体撮像素子と、前記第１固体撮像素子による第１撮像画像データからホワイトバランス調整を行うゲイン値を算出する算出手段と、該算出手段で算出された前記ゲイン値を用いて前記第１固体撮像素子による前記第１撮像画像データのホワイトバランス調整を行うと共に該ゲイン値を用いて前記第２固体撮像素子による第２撮像画像データのホワイトバランス調整を行うゲイン補正手段と、該ゲイン補正手段による前記ホワイトバランス調整後の前記第１撮像画像データと前記ゲイン補正手段による前記ホワイトバランス調整後の前記第２撮像画像データとを合成して合成画像データを生成する画像合成手段とを備えることを特徴とする撮像装置。
　　【請求項２】　高感度画像撮像用の高感度画素及び低感度画像撮像用の低感度画素を搭載した固体撮像素子と、前記高感度画素による第１撮像画像データからホワイトバランス調整を行うゲイン値を算出する算出手段と、該算出手段で算出された前記ゲイン値を用いて前記高感度画素による前記第１撮像画像データのホワイトバランス調整を行うと共に該ゲイン値を用いて前記低感度画素による第２撮像画像データのホワイトバランス調整を行うゲイン補正手段と、該ゲイン補正手段による前記ホワイトバランス調整後の前記第１撮像画像データと前記ゲイン補正手段による前記ホワイトバランス調整後の前記第２撮像画像データとを合成して合成画像データを生成する画像合成手段とを備えることを特徴とする撮像装置。
　　【請求項３】　前記第１撮像画像データに対して高感度画像用のガンマ値を用いてガンマ補正を行い前記第２撮像画像データに対して低感度画像用のガンマ値を用いてガンマ補正を行い各ガンマ補正後の前記第１撮像画像データ及び前記第２撮像画像データを前記画像合成手段で合成させるガンマ補正手段を備えることを特徴とする請求項１または請求項２に記載の撮像装置。
　　【請求項４】　高感度画像撮像用の第１固体撮像素子及び低感度画像撮像用の第２固体撮像素子と、前記第１固体撮像素子による第１撮像画像データからホワイトバランス調整を行うゲイン値を算出する算出手段と、前記第１固体撮像素子による前記第１撮像画像データと前記第２固体撮像素子による第２撮像画像データとを合成して合成画像データを生成する画像合成手段と、該合成画像データに対して前記ゲイン値を用いてホワイトバランス調整を行うゲイン補正手段とを備えることを特徴とする撮像装置。
　　【請求項５】　高感度画像撮像用の高感度画素及び低感度画像撮像用の低感度画素を搭載した固体撮像素子と、前記高感度画素による第１撮像画像データからホワイトバランス調整を行うゲイン値を算出する算出手段と、前記高感度画素による前記第１撮像画像データと前記低感度画素による第２撮像画像データとを合成して合成画像データを生成する画像合成手段と、該合成画像データに対して前記ゲイン値を用いてホワイトバランス調整を行うゲイン補正手段とを備えることを特徴とする撮像装置。
　　【請求項６】　前記ゲイン補正後の前記合成画像データに対してガンマ補正を行うガンマ補正手段を備えることを特徴とする請求項４または請求項５に記載の撮像装置。
　　【請求項７】　高感度画像撮像用の第１固体撮像素子及び低感度画像撮像用の第２固体撮像素子を備える撮像装置で撮像された撮像画像データを画像処理する画像処理方法であって、前記第１固体撮像素子による第１撮像画像データからホワイトバランス調整を行うゲイン値を算出し、該ゲイン値を用いて前記第１撮像画像データのホワイトバランス調整を行うと共に、該ゲイン値を用いて前記第２固体撮像素子による第２撮像画像データのホワイトバランス調整を行い、前記ホワイトバランス調整後の前記第１撮像画像データと前記ホワイトバランス調整後の前記第２撮像画像データとを合成して合成画像データを生成することを特徴とする画像処理方法。
　　【請求項８】　高感度画像撮像用の高感度画素及び低感度画像撮像用の低感度画素を有する固体撮像素子を搭載した撮像装置で撮像された撮像画像データを画像処理する画像処理方法であって、前記高感度画素による第１撮像画像データからホワイトバランス調整を行うゲイン値を算出し、該ゲイン値を用いて前記第１撮像画像データのホワイトバランス調整を行うと共に、該ゲイン値を用いて前記低感度画素による第２撮像画像データのホワイトバランス調整を行い、前記ホワイトバランス調整後の前記第１撮像画像データと前記ホワイトバランス調整後の前記第２撮像画像データとを合成して合成画像データを生成することを特徴とする画像処理方法。
　　【請求項９】　前記ホワイトバランス調整後の前記第１撮像画像データに対して高感度画像用のガンマ値を用いてガンマ補正を行い、前記ホワイトバランス調整後の前記第２撮像画像データに対して低感度画像用のガンマ値を用いてガンマ補正を行い、各ガンマ補正後の前記第１撮像画像データ及び前記第２撮像画像データを合成して前記合成画像データを生成することを特徴とする請求項７または請求項８に記載の画像処理方法。
　　【請求項１０】　高感度画像撮像用の第１固体撮像素子及び低感度画像撮像用の第２固体撮像素子を備える撮像装置で撮像された撮像画像データを画像処理する画像処理方法であって、前記第１固体撮像素子による第１撮像画像データからホワイトバランス調整を行うゲイン値を算出し、前記第１撮像画像データと前記第２固体撮像素子による第２撮像画像データとを合成して合成画像データを生成し、該合成画像データに対して前記ゲイン値を用いてホワイトバランス調整を行うことを特徴とする画像処理方法。
　　【請求項１１】　高感度画像撮像用の高感度画素及び低感度画像撮像用の低感度画素を有する固体撮像素子を搭載した撮像装置で撮像された撮像画像データを画像処理する画像処理方法であって、前記高感度画素による第１撮像画像データからホワイトバランス調整を行うゲイン値を算出し、前記第１撮像画像データと前記低感度画素による第２撮像画像データとを合成して合成画像データを生成し、該合成画像データに対して前記ゲイン値を用いてホワイトバランス調整を行うことを特徴とする画像処理方法。
　　【請求項１２】　前記ホワイトバランス調整後の前記合成画像データに対してガンマ補正を行うことを特徴とする請求項１０または請求項１１に記載の画像処理方法。
　　　　　　　　　　記（補正後）
　　【請求項１】　高感度画像撮像用の第１固体撮像素子及び低感度画像撮像用の第２固体撮像素子と、前記第１固体撮像素子による第１撮像画像データの積算値からホワイトバランス調整を行うゲイン値を算出するゲイン算出手段と、前記第１固体撮像素子による前記第１撮像画像データに対してオフセット処理を行う第１オフセット補正手段と、前記第２固体撮像素子による第２撮像画像データに対してオフセット処理を行う第２オフセット補正手段と、前記第１オフセット補正手段により前記オフセット処理された前記第１撮像画像データに対して前記ゲイン算出手段で算出された前記ゲイン値を用いてホワイトバランス調整を行う第１ゲイン補正手段と、前記第２オフセット補正手段により前記オフセット処理された前記第２撮像画像データに対して前記ゲイン算出手段で算出された前記ゲイン値を用いてホワイトバランス調整を行う第２ゲイン補正手段と、前記第１ゲイン補正手段によりホワイトバランス調整された前記第１撮像画像データに対して高感度画像用ガンマ値を用いてガンマ補正を行う第１ガンマ補正手段と、前記第２ゲイン補正手段によりホワイトバランス調整された前記第２撮像画像データに対して低感度画像用ガンマ値を用いてガンマ補正を行う第２ガンマ補正手段と、前記第１ガンマ補正手段によるガンマ補正後の前記第１撮像画像データと前記第２ガンマ補正手段によるガンマ補正後の前記第２撮像画像データとを合成して合成画像データを生成する画像合成手段とを備えることを特徴とする撮像装置。
　　【請求項２】　高感度画像撮像用の高感度画素及び低感度画像撮像用の低感度画素を搭載した固体撮像素子と、前記高感度画素による第１撮像画像データの積算値からホワイトバランス調整を行うゲイン値を算出するゲイン算出手段と、前記高感度画素による前記第１撮像画像データに対してオフセット処理を行う第１オフセット補正手段と、前記低感度画素による第２撮像画像データに対してオフセット処理を行う第２オフセット補正手段と、前記第１オフセット補正手段により前記オフセット処理された前記第１撮像画像データに対して前記ゲイン算出手段で算出された前記ゲイン値を用いてホワイトバランス調整を行う第１ゲイン補正手段と、前記第２オフセット補正手段により前記オフセット処理された前記第２撮像画像データに対して前記ゲイン算出手段で算出された前記ゲイン値を用いてホワイトバランス調整を行う第２ゲイン補正手段と、前記第１ゲイン補正手段によりホワイトバランス調整された前記第１撮像画像データに対して高感度画像用ガンマ値を用いてガンマ補正を行う第１ガンマ補正手段と、前記第２ゲイン補正手段によりホワイトバランス調整された前記第２撮像画像データに対して低感度画像用ガンマ値を用いてガンマ補正を行う第２ガンマ補正手段と、前記第１ガンマ補正手段によるガンマ補正後の前記第１撮像画像データと前記第２ガンマ補正手段によるガンマ補正後の前記第２撮像画像データとを合成して合成画像データを生成する画像合成手段とを備えることを特徴とする撮像装置。
　　【請求項３】　高感度画像撮像用の第１固体撮像素子及び低感度画像撮像用の第２固体撮像素子と、前記第１固体撮像素子による第１撮像画像データの積算値からホワイトバランス調整を行うゲイン値を算出するゲイン算出手段と、前記第１固体撮像素子による前記第１撮像画像データと前記第２固体撮像素子による第２撮像画像データとを合成して合成画像データを生成する画像合成手段と、該画像合成手段で合成された前記合成画像データに対してニー補正処理を施すニー補正手段と、該ニー補正処理後の前記合成画像データに対し前記ゲイン算出手段が算出した前記ゲイン値を用いてホワイトバランス調整を行うゲイン補正手段と、該ホワイトバランス調整後の前記合成画像データに対してガンマ補正処理を行うガンマ補正手段とを備えることを特徴とする撮像装置。
　　【請求項４】　高感度画像撮像用の高感度画素及び低感度画像撮像用の低感度画素を搭載した固体撮像素子と、前記高感度画素による第１撮像画像データの積算値からホワイトバランス調整を行うゲイン値を算出するゲイン算出手段と、前記高感度画素による前記第１撮像画像データと前記低感度画素による第２撮像画像データとを合成して合成画像データを生成する画像合成手段と、該画像合成手段により合成された前記合成画像データに対してニー補正処理を施すニー補正手段と、該ニー補正処理後の前記合成画像データに対し前記ゲイン算出手段が算出した前記ゲイン値を用いてホワイトバランス調整を行うゲイン補正手段と、該ホワイトバランス調整後の前記合成画像データに対してガンマ補正処理を行うガンマ補正手段とを備えることを特徴とする撮像装置。
　　【請求項５】　高感度画像撮像用の第１固体撮像素子及び低感度画像撮像用の第２固体撮像素子を備える撮像装置で撮像された撮像画像データを画像処理する画像処理方法であって、前記第１固体撮像素子による第１撮像画像データの積算値からホワイトバランス調整を行うゲイン値をゲイン算出手段が算出し、前記第１固体撮像素子による前記第１撮像画像データに対して第１オフセット補正手段がオフセット処理を行い、前記第２固体撮像素子による第２撮像画像データに対して第２オフセット補正手段がオフセット処理を行い、前記第１オフセット補正手段により前記オフセット処理された前記第１撮像画像データに対して前記ゲイン算出手段で算出された前記ゲイン値を用いて第１ゲイン補正手段がホワイトバランス調整を行い、前記第２オフセット補正手段により前記オフセット処理された前記第２撮像画像データに対して前記ゲイン算出手段で算出された前記ゲイン値を用いて第２ゲイン補正手段がホワイトバランス調整を行い、前記第１ゲイン補正手段によりホワイトバランス調整された前記第１撮像画像データに対して高感度画像用ガンマ値を用いて第１ガンマ補正手段がガンマ補正を行い、前記第２ゲイン補正手段によりホワイトバランス調整された前記第２撮像画像データに対して低感度画像用ガンマ値を用いて第２ガンマ補正手段がガンマ補正を行い、前記第１ガンマ補正手段によるガンマ補正後の前記第１撮像画像データと前記第２ガンマ補正手段によるガンマ補正後の前記第２撮像画像データとを画像合成手段が合成画像データを合成することを特徴とする画像処理方法。
　　【請求項６】　高感度画像撮像用の高感度画素及び低感度画像撮像用の低感度画素を有する固体撮像素子を搭載した撮像装置で撮像された撮像画像データを画像処理する画像処理方法であって、前記高感度画素による第１撮像画像データの積算値からホワイトバランス調整を行うゲイン値をゲイン算出手段が算出し、前記低感度画素による前記第１撮像画像データに対して第１オフセット補正手段がオフセット処理を行い、前記高感度画素による第２撮像画像データに対して第２オフセット補正手段がオフセット処理を行い、前記第１オフセット補正手段により前記オフセット処理された前記第１撮像画像データに対して前記ゲイン算出手段で算出された前記ゲイン値を用いて第１ゲイン補正手段がホワイトバランス調整を行い、前記第２オフセット補正手段により前記オフセット処理された前記第２撮像画像データに対して前記ゲイン算出手段で算出された前記ゲイン値を用いて第２ゲイン補正手段がホワイトバランス調整を行い、前記第１ゲイン補正手段によりホワイトバランス調整された前記第１撮像画像データに対して高感度画像用ガンマ値を用いて第１ガンマ補正手段がガンマ補正を行い、前記第２ゲイン補正手段によりホワイトバランス調整された前記第２撮像画像データに対して低感度画像用ガンマ値を用いて第２ガンマ補正手段がガンマ補正を行い、前記第１ガンマ補正手段によるガンマ補正後の前記第１撮像画像データと前記第２ガンマ補正手段によるガンマ補正後の前記第２撮像画像データとを画像合成手段が合成画像データを合成することを特徴とする画像処理方法。
　　【請求項７】　高感度画像撮像用の第１固体撮像素子及び低感度画像撮像用の第２固体撮像素子を備える撮像装置で撮像された撮像画像データを画像処理する画像処理方法であって、前記第１固体撮像素子による第１撮像画像データの積算値からホワイトバランス調整を行うゲイン値をゲイン算出手段が算出し、前記第１固体撮像素子による前記第１撮像画像データと前記第２固体撮像素子による第２撮像画像データとを画像合成手段が合成し、該画像合成手段が合成した合成画像データに対してニー補正手段がニー補正処理を施し、該ニー補正処理後の前記合成画像データに対し前記ゲイン算出手段が算出した前記ゲイン値を用いてゲイン補正手段がホワイトバランス調整を行い、該ホワイトバランス調整後の前記合成画像データに対してガンマ補正手段がガンマ補正処理を行うことを特徴とする画像処理方法。
　　【請求項８】　高感度画像撮像用の高感度画素及び低感度画像撮像用の低感度画素を有する固体撮像素子を搭載した撮像装置で撮像された撮像画像データを画像処理する画像処理方法であって、前記高感度画素による第１撮像画像データの積算値からホワイトバランス調整を行うゲイン値をゲイン算出手段が算出し、前記高感度画素による前記第１撮像画像データと前記低感度画素による第２撮像画像データとを画像合成手段が合成し、該画像合成手段が合成した合成画像データに対してニー補正手段がニー補正処理を施し、該ニー補正処理後の前記合成画像データに対し前記ゲイン算出手段が算出した前記ゲイン値を用いてゲイン補正手段がホワイトバランス調整を行い、該ホワイトバランス調整後の前記合成画像データに対してガンマ補正手段がガンマ補正処理を行うことを特徴とする画像処理方法。
 
[２]本件補正の適合性　 
（１）補正の概要（補正前後の各請求項の対応関係）
　特許請求の範囲についてする補正の概要、補正前後の各請求項の対応関係は、以下のとおりである。
（i）補正前請求項１，２を引用する補正前請求項３を、それぞれ補正後請求項１，２とし、その記載事項をさらに補正し、それぞれ上記補正後請求項１，２の記載事項とする補正。
（ii）補正前請求項４，５を引用する補正前請求項６を、それぞれ補正後請求項３，４とし、その記載事項をさらに補正し、それぞれ上記補正後請求項３，４の記載事項とする補正。
（iii）補正前請求項７，８を引用する補正前請求項９を、それぞれ補正後請求項５，６とし、その記載事項をさらに補正し、それぞれ上記補正後請求項５，６の記載事項とする補正。
（iv）補正前請求項１０，１１を引用する補正前請求項１２を、それぞれ補正後請求項７，８とし、その記載事項をさらに補正し、それぞれ上記補正後請求項７，８の記載事項とする補正。
（v）補正前請求項１，２，４，５，７，８，１０，１１を削除する補正。
　
（２）上記（i）の補正前請求項１を引用する補正前請求項３についてする補正について
（２．１）補正前請求項１を引用する補正前請求項３
　補正前請求項１を引用する補正前請求項３は、「撮像装置」であって、
　Ａ：「高感度画像撮像用の第１固体撮像素子及び低感度画像撮像用の第２固体撮像素子」
　Ｂ：「前記第１固体撮像素子による第１撮像画像データからホワイトバランス調整を行うゲイン値を算出する算出手段」
　Ｃ：「該算出手段で算出された前記ゲイン値を用いて前記第１固体撮像素子による前記第１撮像画像データのホワイトバランス調整を行うと共に該ゲイン値を用いて前記第２固体撮像素子による第２撮像画像データのホワイトバランス調整を行うゲイン補正手段」
　Ｄ：「該ゲイン補正手段による前記ホワイトバランス調整後の前記第１撮像画像データと前記ゲイン補正手段による前記ホワイトバランス調整後の前記第２撮像画像データとを合成して合成画像データを生成する画像合成手段」
　Ｅ：「前記第１撮像画像データに対して高感度画像用のガンマ値を用いてガンマ補正を行い前記第２撮像画像データに対して低感度画像用のガンマ値を用いてガンマ補正を行い各ガンマ補正後の前記第１撮像画像データ及び前記第２撮像画像データを前記画像合成手段で合成させるガンマ補正手段」
　のＡないしＥを備えることを、発明を特定するために必要な事項としている。
（２．２）補正事項
　上記（i）の補正前請求項１を引用する補正前請求項３についてする補正は、次の補正を含んでいる。
　ａ：「
前記第１固体撮像素子による前記第１撮像画像データに対してオフセット処理を行う第１オフセット補正手段と、前記第２固体撮像素子による第２撮像画像データに対してオフセット処理を行う第２オフセット補正手段
前記第１オフセット補正手段により前記オフセット処理された
前記第２オフセット補正手段により前記オフセット処理された
（２．３）補正の適否
　上記補正ａは、「
前記第１固体撮像素子による前記第１撮像画像データに対してオフセット処理を行う第１オフセット補正手段と、前記第２固体撮像素子による第２撮像画像データに対してオフセット処理を行う第２オフセット補正手段
　この「特定事項Ｘ」の追加は、「オフセット処理を行うオフセット補正手段」という観点から発明を特定する事項を付加するものであり、明細書の実施形態（段落【００１９】，【００２０】，図２）における「第１オフセット補正回路４１ａ」，「第２オフセット補正回路４１ｂ」に対応するものである。しかし、上記補正前請求項１を引用する補正前請求項３に記載した発明特定事項ＡないしＥには、「オフセット処理を行うオフセット補正手段」の概念を含む記載を見いだすことができず、上記発明特定事項ＡないしＥのいずれを限定する補正でないことは明らかである。
　したがって、上記補正ａは、補正前請求項１を引用する補正前請求項３を減縮するものではあるものの、補正前請求項１を引用する補正前請求項３に記載した発明を特定するために必要な事項を限定したものとはいえない。
　
（３）上記（ii）の補正前請求項４を引用する補正前請求項６についてする補正について
（３．１）補正前請求項４を引用する補正前請求項６
　補正前請求項４を引用する補正前請求項６は、「撮像装置」であって、
　Ａ’：「高感度画像撮像用の第１固体撮像素子及び低感度画像撮像用の第２固体撮像素子」
　Ｂ’：「前記第１固体撮像素子による第１撮像画像データからホワイトバランス調整を行うゲイン値を算出する算出手段」
　Ｃ’：「前記第１固体撮像素子による前記第１撮像画像データと前記第２固体撮像素子による第２撮像画像データとを合成して合成画像データを生成する画像合成手段」
　Ｄ’：「該合成画像データに対して前記ゲイン値を用いてホワイトバランス調整を行うゲイン補正手段」
　Ｅ’：「前記ゲイン補正後の前記合成画像データに対してガンマ補正を行うガンマ補正手段」
　のＡ’ないしＥ’を備えることを、発明を特定するために必要な事項としている。
（３．２）補正事項
　上記（ii）の補正前請求項４を引用する補正前請求項６についてする補正は、次の補正を含んでいる。
　ｂ：「
該画像合成手段で合成された前記合成画像データに対してニー補正処理を施すニー補正手段
該ニー補正処理後の
（３．３）補正の適否
　上記補正ｂは、「
該画像合成手段で合成された前記合成画像データに対してニー補正処理を施すニー補正手段
　この「特定事項Ｘ’」の追加は、「ニー補正処理を施すニー補正手段」という観点から発明を特定する事項を付加するものであり、明細書の実施形態（段落【００３１】，図３）における「ニー補正回路３９」に対応するものである。しかし、上記補正前請求項４を引用する補正前請求項６に記載した発明特定事項Ａ’ないしＥ’には「ニー補正処理を施すニー補正手段」の概念を含む記載を見いだすことができず、上記発明特定事項Ａ’ないしＥ’のいずれを限定する補正でないことは明らかである。
　したがって、上記補正ｂは、補正前請求項４を引用する補正前請求項６を減縮するものではあるものの、補正前請求項４を引用する補正前請求項６に記載した発明を特定するために必要な事項を限定したものとはいえない。
　
（４）まとめ
　上記補正ａ，ｂは、いずれも、平成１８年改正前特許法（平成１８年法律第５５号改正附則第３条第１項によりなお従前の例によるとされる同法による改正前の特許法）第１７条の２第４項第２号で規定する特許請求の範囲の減縮を目的とするものに該当しない。　
　そして、これら各補正は、いずれも、同法改正前特許法第１７条の２第４項第１号，第３号，第４号でそれぞれ規定する請求項の削除、誤記の訂正、明りょうでない記載の釈明のいずれを目的とするものにも該当しない。
　以上によれば、本件補正は、平成１８年改正前特許法第１７条の２第４項各号に掲げる事項を目的とするもののいずれにも該当しない。  
 　  
［３］まとめ  
　本件補正は特許請求の範囲についてする補正を含むところ、その補正は、平成１８年改正前特許法第１７条の２第４項各号に掲げる事項を目的とするもののいずれにも該当しない。  
　したがって、本件補正は、平成１８年改正前特許法第１７条の２第４項の規定に違反するものであるから、特許法第１５９条第１項において読み替えて準用する同法第５３条第１項の規定により却下すべきものである。  
　
《理由２》
　本件補正は、上記《理由１》により、却下すべきであるが、仮に、本件補正が、特許法第１７条の２第４項第２号で規定する特許請求の範囲の減縮を目的とするものに該当するとしても、補正後の請求項１及び請求項３に記載された発明は、次のとおり、独立特許要件（特許法第１７条の２第５項で読み替えて準用する同法第１２６条第５項の規定）を満たしていない。
　
[１]独立特許要件についての検討 
１．補正後発明
　本件補正後の請求項１から請求項８までに係る発明のうち請求項１及び請求項３に係る発明（以下、「補正後発明１」及び「補正後発明３」という。）は、それぞれ、下記のとおりである。
　　　　　　　　　　　　記（補正後発明１、再掲）
　高感度画像撮像用の第１固体撮像素子及び低感度画像撮像用の第２固体撮像素子と、前記第１固体撮像素子による第１撮像画像データの積算値からホワイトバランス調整を行うゲイン値を算出するゲイン算出手段と、前記第１固体撮像素子による前記第１撮像画像データに対してオフセット処理を行う第１オフセット補正手段と、前記第２固体撮像素子による第２撮像画像データに対してオフセット処理を行う第２オフセット補正手段と、前記第１オフセット補正手段により前記オフセット処理された前記第１撮像画像データに対して前記ゲイン算出手段で算出された前記ゲイン値を用いてホワイトバランス調整を行う第１ゲイン補正手段と、前記第２オフセット補正手段により前記オフセット処理された前記第２撮像画像データに対して前記ゲイン算出手段で算出された前記ゲイン値を用いてホワイトバランス調整を行う第２ゲイン補正手段と、前記第１ゲイン補正手段によりホワイトバランス調整された前記第１撮像画像データに対して高感度画像用ガンマ値を用いてガンマ補正を行う第１ガンマ補正手段と、前記第２ゲイン補正手段によりホワイトバランス調整された前記第２撮像画像データに対して低感度画像用ガンマ値を用いてガンマ補正を行う第２ガンマ補正手段と、前記第１ガンマ補正手段によるガンマ補正後の前記第１撮像画像データと前記第２ガンマ補正手段によるガンマ補正後の前記第２撮像画像データとを合成して合成画像データを生成する画像合成手段とを備えることを特徴とする撮像装置。
　　　　　　　　　　　　記（補正後発明３、再掲）
　高感度画像撮像用の第１固体撮像素子及び低感度画像撮像用の第２固体撮像素子と、前記第１固体撮像素子による第１撮像画像データの積算値からホワイトバランス調整を行うゲイン値を算出するゲイン算出手段と、前記第１固体撮像素子による前記第１撮像画像データと前記第２固体撮像素子による第２撮像画像データとを合成して合成画像データを生成する画像合成手段と、該画像合成手段で合成された前記合成画像データに対してニー補正処理を施すニー補正手段と、該ニー補正処理後の前記合成画像データに対し前記ゲイン算出手段が算出した前記ゲイン値を用いてホワイトバランス調整を行うゲイン補正手段と、該ホワイトバランス調整後の前記合成画像データに対してガンマ補正処理を行うガンマ補正手段とを備えることを特徴とする撮像装置。
　
２．刊行物の記載  
　原査定の拒絶の理由に引用された刊行物１（特開平１１−１６８６５９号公報）には、「電子カメラ」（発明の名称）に関し、図面と共に次に掲げる事項が記載されている。 
　（ア）「【０００１】
【発明の属する技術分野】この発明は、単一の撮像素子から露光量の異なる複数の撮像信号を読み出し合成を行うことにより、広ダイナミックレンジ画像を得るようにした電子カメラ（デジタルスチルカメラと呼ばれている）に関する。」
　（イ）「【００４２】
【発明の実施の形態】次に、実施の形態について説明する。まず、本発明を適用する電子カメラの基本的な全体構成を、図１に示すブロック構成図に基づいて説明する。図１において、１は光信号を電気的な信号に光電変換する単板カラーＣＣＤ撮像素子で、電子シャッタ機能をもつものであり、該ＣＣＤ撮像素子１には、レンズ２及び絞り・シャッタ機構３を通って、被写体光が入力されるようになっている。ＣＣＤ撮像素子１の出力は、相関二重サンプリング回路等でノイズを除去されたのちアンプ４で増幅される。５はアナログデータであるアンプ４の出力をデジタルデータに変換するＡ／Ｄ変換器で、６はＣＣＤ撮像素子１からの信号を映像データとして処理するカメラ信号処理回路である。７は、本来の撮影に先立ってＣＣＤ撮像素子１からの撮像信号等を用いて、フォーカスを制御するためにＡＦ情報を取り出すＡＦ検波回路、露出を制御するためにＡＥ情報を取り出すＡＥ検波回路及びホワイトバランスを設定するためにＡＷＢ情報を取り出すＡＷＢ検波回路であり、このＡＦ，ＡＥ，ＡＷＢ検波回路７からの出力信号はＣＰＵ８を介して、レンズ２へＡＦ情報を、絞り・シャッタ機構３へＡＥ情報を、カメラ信号処理回路６へＡＷＢ情報を与えるようになっている。」
　（ウ）「【００４４】次に、このように構成されている電子カメラにおいて、露光量の異なる２つの撮像信号を読み出し合成することによって、拡大された広ダイナミックレンジ画像を得る手法における、本発明にかかる具体的な第１の実施の形態について説明する。先に説明した特開平４−２０７５８１号公報に開示されている従来例においては、図２に示すように、露光量の小さい撮像信号を得るための第１の撮影は、ＣＣＤ撮像素子の電子シャッタ機能を用いて行い、露光量の大きい撮像信号を得るための第２の撮影は、遮光手段（シャッタ）を用いて行うようにしている。なお、図２において、は第１の撮影、は第２の撮影、ＶＤは垂直同期信号、Ｔ2 は第２の撮影の電荷蓄積時間を示している。
【００４５】これに対して、本発明の第１の実施の形態においては、図３に示すように、露光量の小さい撮像信号を得るための第１の撮影は、従来例と同様にＣＣＤ撮像素子の電子シャッタ機能を用いて行うが、露光量の大きい撮像信号を得るための第２の撮影のＣＣＤ撮像素子の電荷蓄積時間Ｔ2 が、ＣＣＤ撮像素子の全画素読み出しに要する時間（通常１垂直同期信号期間）Ｔ0 よりも長く設定される場合（この設定は被写体の態様に応じて行われる）、ＣＣＤ撮像素子の電子シャッタ機能を用いて露光量の大きい撮像信号を生成するように構成するものである。
【００４６】すなわち、この露光量の大きい撮像信号を得るためのＣＣＤ撮像素子の電荷蓄積時間の終了時点では、露光量の小さい撮像信号の読み出し動作が完了しているので、この露光量の大きい撮像信号を得るための電荷蓄積時間の設定に電子シャッタ機能を用いることが可能となり、このように電子シャッタ機能を用いることにより、遮光手段を用いた場合よりも、電荷蓄積時間を高精度に制御することができ、２つの撮像信号の露光量比を正確に設定することが可能となる。なお、上記ＣＣＤ撮像素子及び遮光手段等の動作は、全てＣＰＵからの制御信号によって制御されるようになっている。」
　（エ）「【００５９】次に、第９の実施の形態について説明する。この実施の形態は、２つの異なる露光量の撮像信号を生成し合成する場合、合成を行う前の２つの撮影信号に対して、同一のホワイトバランス補正値を用いてホワイトバランス補正を行うものである。これにより合成画像における偽色の発生を防止することができる。
【００６０】そして、上記ホワイトバランス補正に用いる補正値としては、撮影に先立ってホワイトバランス設定手段により求められたホワイトバランス補正値を用い、合成を行う前の２つの撮像信号に対してホワイトバランス補正を行う。また、ホワイトバランス補正値は、実際に求められた２つの撮像信号に基づいて設定してもよい。
【００６１】また、一般にホワイトバランスは画像の主被写体となる部分において設定する必要があり、画像の主被写体となる部分は大なる露光量の撮像信号に含まれている可能性が大きい。したがって、ホワイトバランス補正値を２つの撮像信号のうち、大なる露光量の撮像信号に基づいて求めることにより、効率的にホワイトバランス補正値を求めることができ、主被写体のホワイトバランスを最適にして合成処理を行うことができる。」
　（オ）「【００６２】次に、第10の実施の形態について説明する。この実施の形態では、合成処理を行う前の２つの露光量の異なる撮像信号に対して、それぞれホワイトバランスの補正を行うのではなく、合成処理後の画像に対してホワイトバランスの補正を行うように構成するものである。これにより、効率的にホワイトバランスの補正を行うことができる。そして、この場合に用いるホワイトバランス補正値も、撮影に先立ってホワイトバランス設定手段により求められたホワイトバランス補正値でもよいし、また合成を行った後の画像に基づいて求めたものでもよい。また合成を行う前の２つの撮像信号に基づいて設定したものでもよく、またこの場合は、合成を行う前の２つの撮像信号のうち、露光量を大きい（当審注：「露光量の大きい」の誤記と認める。）撮像信号に基づいてホワイトバランス補正値を設定してもよい。」
　
　以上の記載から見て、刊行物１に記載された発明として、下記の発明（以下、「引用発明１」及び「引用発明２」という。）を認定することができる。
　　　　　　記（引用発明１） 
　露光量の大きい撮像信号及び露光量の小さい撮像信号を生成するＣＣＤ撮像素子と、（上記（ウ）の記載より。）
　露光量の異なる２つの撮像信号のうち、大なる露光量の撮像信号に基づいてホワイトバランス補正に用いるホワイトバランス補正値を算出し、（上記（エ）の記載より。）
　合成を行う前の露光量の異なる２つの撮像信号に対して、同一のホワイトバランス補正値を用いてホワイトバランス補正を行い、（上記（エ）の記載より。）
　２つの異なる露光量の撮像信号を生成し合成する、（上記（エ）の記載より。）
　電子カメラ（上記（ア）の記載より。）。
　　　　　　記（引用発明２）
　露光量の大きい撮像信号及び露光量の小さい撮像信号を生成するＣＣＤ撮像素子と、（上記（ウ）の記載より。）
　合成を行う前の２つの撮像信号のうち、露光量の大きい撮像信号に基づいてホワイトバランス補正値を設定し、（上記（オ）の記載より。）
　露光量の異なる複数の撮像信号を読み出し合成を行い、（上記（ア）の記載より。）
　合成処理後の画像に対してホワイトバランスの補正を行う、（上記（オ）の記載より。）
　電子カメラ（上記（ア）の記載より。）。
 　  　 
３．補正後発明１について
（１）対比（対応関係） 
　補正後発明１と引用発明１を比較すると、次のことが認められる。
　（ａ）「高感度画像撮像用の第１固体撮像素子及び低感度画像撮像用の第２固体撮像素子」について
　補正後発明１の「高感度画像撮像」及び「低感度画像撮像」とは、本願明細書（段落【０００３】など）の記載によれば、それぞれ「長時間露光画像を撮像」及び「短時間露光画像を撮像」といえるところ、刊行物１には、ＣＣＤ撮像素子１を用いて、露光量の大きい撮像信号を得るための撮影は電荷蓄積時間を長く、一方、露光量の小さい撮像信号を得るための撮影は電荷蓄積時間を短くすることが記載されており（前掲（イ）、（ウ）、図２、図３）、上記「露光量の大きい撮像」及び「露光量の小さい撮像」は、それぞれ補正後発明１の「高感度画像撮像」及び「低感度画像撮像」に対応する。
　そして、引用発明１は、ＣＣＤ撮像素子を用いて「高感度画像撮像」及び「低感度画像撮像」を行っているから、引用発明１のＣＣＤ撮像素子は「高感度画像撮像用及び低感度画像撮像用撮像素子」である。
　また、ＣＣＤ撮像素子は、固体撮像素子の一つである。
　そうすると、引用発明１も「高感度画像撮像用及び低感度画像撮像用の固体撮像素子」を有するものといえ、その点では補正後発明１と変わりがない。
　もっとも、補正後発明１は、「高感度画像撮像用の第１固体撮像素子及び低感度画像撮像用の第２固体撮像素子」の両方を搭載しているのに対し、引用発明１は、単一の撮像素子で高感度画像撮像と低感度画像撮像の両方を行っている点で相違する。
　（ｂ）「前記第１固体撮像素子による第１撮像画像データの積算値からホワイトバランス調整を行うゲイン値を算出するゲイン算出手段」について
　補正後発明１の第１固体撮像素子は高感度画像撮像用であるから、「（前記第１固体撮像素子による）第１撮像画像データ」は高感度画像撮像することにより得られた画像データであることは明らかである。
　引用発明１の、２つの撮像信号のうち大なる露光量の撮像が、補正後発明１の「高感度画像撮像」に対応していることは上記（ａ）に記載したとおりであるから、大なる露光量の撮像信号は、高感度画像撮像することにより得られた信号という意味ととらえることができる。
　してみると、引用発明１の「大なる露光量の撮像信号」は、補正後発明１の「（高感度画像撮像による）第１撮像画像データ」に対応するといえる。
　また、補正後発明１のゲイン算出手段は、「
第１撮像画像データの積算値から
第１撮像画像データの値に基づいて
　一方、引用発明１においても、「大なる露光量の撮像信号に基づいてホワイトバランス補正に用いるホワイトバランス補正値を算出」しているのであるから、（高感度画像撮像による）第１撮像画像データに基づいてホワイトバランス補正のための値を求めているものであり、算出するためには算出手段が必要なことは自明である。
　そして、そのようなホワイトバランス補正に用いる値は、ゲイン値であることは技術常識であるから、引用発明１のホワイトバランス補正に用いる値は、ホワイトバランス補正を行うゲイン値であるといいうるものである。
　さらに、補正後発明１の「ホワイトバランス調整」と引用発明１の「ホワイトバランス補正」は、ともに、ホワイトバランスを最適な状態にするといった意味で格別相違がない。このことは、補正後発明１のゲイン補正手段が、「前記ゲイン算出手段で算出された前記ゲイン値を用いてホワイトバランス調整を行う第１ゲイン補正手段」、「ホワイトバランス調整を行う第２ゲイン補正手段」とされていることからも明らかである。
　以上のことから見て、引用発明１も、補正後発明１も「高感度画像撮像による第１撮像画像データに基づいてホワイトバランス調整を行うゲイン値を算出するゲイン算出手段」を有しているといえる。
　もっとも、補正後発明１は、高感度画像撮像による第１撮像画像データが「第１固体撮像素子による」であり、第１撮像画像データの「積算値から」ホワイトバランス調整を行うゲイン値を算出ものであるのに対し、引用発明１は、高感度画像撮像による第１撮像画像データが「単一の（高感度画像撮像及び低感度画像撮像をおこなう）撮像素子による」ものであり、ゲイン値の算出が、「第１撮像画像データに基づいて」はいるものの、「第１撮像画像データの
積算値
　（ｃ）「前記第１固体撮像素子による前記第１撮像画像データに対してオフセット処理を行う第１オフセット補正手段と、前記第２固体撮像素子による第２撮像画像データに対してオフセット処理を行う第２オフセット補正手段」について
　補正後発明１の「第１撮像画像データ」に対応する構成を、引用発明１が有していることは上記（ｂ）のとおりである。
　また、補正後発明１の第２固体撮像素子は低感度画像撮像用であるから、「（前記第２固体撮像素子による）第２撮像画像データ」は低感度画像撮像することにより得られた画像データであることは明らかである。
　引用発明１の、２つの撮像信号のうち露光量の小さい撮像が、補正後発明１の低感度画像撮像に対応していることは上記（ａ）に記載したとおりであるから、露光量の小さい撮像信号は、低感度画像撮像することにより得られた信号という意味ととらえることができる。
　してみると、引用発明１の「露光量の小さい撮像信号」は、補正後発明１の「（低感度画像撮像による）第２撮像画像データ」に対応するといえる。
　しかしながら、補正後発明１は、「第１撮像画像データ」、「第２撮像画像データ」が、それぞれ、「第１固体撮像素子」、「第２固体撮像素子」によるものであるのに対し、引用発明１は、単一の撮像素子で高感度画像撮影と低感度画像撮影の両方を行っているため、「第１撮像画像データ」、「第２撮像画像データ」に対応する構成は有するものの、これらの画像データが、共に「単一の撮像素子」によるものである点で相違しており、また、引用発明１は、オフセット処理を行う「第１オフセット補正手段」、「第２オフセット補正手段」を有していない点で相違している。
　したがって、補正後発明１は、「前記第１固体撮像素子による前記第１撮像画像データに対してオフセット処理を行う第１オフセット補正手段と、前記第２固体撮像素子による第２撮像画像データに対してオフセット処理を行う第２オフセット補正手段」とを有するのに対し、
　引用発明１は、「第１撮像画像データ」、「第２撮像画像データ」の構成は有するものの、これらの画像データが、共に「単一の撮像素子」によるものである点、および、引用発明１は、オフセット処理を行う「第１オフセット補正手段」、「第２オフセット補正手段」を有していない点で相違している。
　（ｄ）「前記第１オフセット補正手段により前記オフセット処理された前記第１撮像画像データに対して前記ゲイン算出手段で算出された前記ゲイン値を用いてホワイトバランス調整を行う第１ゲイン補正手段と、前記第２オフセット補正手段により前記オフセット処理された前記第２撮像画像データに対して前記ゲイン算出手段で算出された前記ゲイン値を用いてホワイトバランス調整を行う第２ゲイン補正手段」とについて
　引用発明１は「露光量の異なる２つの撮像信号のうち、大なる露光量の撮像信号に基づいてホワイトバランス補正に用いるホワイトバランス補正値を算出」しているから、「ホワイトバランス補正値を大なる露光量の撮像信号（高感度の撮影データ）に基づいて求め」ているものであり、また、「合成を行う前の露光量の異なる２つの撮像信号に対して、同一のホワイトバランス補正値を用いてホワイトバランス補正を行」うものであるから、「２つの撮像信号に対して、それぞれホワイトバランスの調整を行う手段を有していること」は明らかである。
　そして、前記ホワイトバランス調整が、ゲイン値を用いて調整されることも技術常識であり、この点に相違があるといえない。
　そうすると、引用発明１も、「前記（高感度画像撮像による）第１撮像画像データに対して前記ゲイン算出手段で算出された前記ゲイン値を用いてホワイトバランス調整を行う第１ゲイン補正手段と、前記（低感度画像撮像による）第２撮像画像データに対して前記ゲイン算出手段で算出された前記ゲイン値を用いてホワイトバランス調整を行う第２ゲイン補正手段」とを有するものといえ、その点では補正後発明１と変わりがない。
　もっとも、補正後発明１では、第１ゲイン補正手段が、「前記第１オフセット補正手段により前記オフセット処理された」前記第１撮像画像データに対してホワイトバランス調整を行い、第２ゲイン補正手段が、「前記第２オフセット補正手段により前記オフセット処理された」前記第２撮像画像データに対してホワイトバランス調整を行うものであるのに対し、引用発明１は、「第１及び第２オフセット補正手段」を有していないため、「第１及び第２撮像画像データ」がこれらオフセット処理手段により処理されない点で相違する。
　（ｅ）「前記第１ゲイン補正手段によりホワイトバランス調整された前記第１撮像画像データに対して高感度画像用ガンマ値を用いてガンマ補正を行う第１ガンマ補正手段と、前記第２ゲイン補正手段によりホワイトバランス調整された前記第２撮像画像データに対して低感度画像用ガンマ値を用いてガンマ補正を行う第２ガンマ補正手段」について
　引用発明１は、ガンマ補正を行うガンマ補正手段を有していない。
　したがって、補正後発明１は、「前記第１ゲイン補正手段によりホワイトバランス調整された前記第１撮像画像データに対して高感度画像用ガンマ値を用いてガンマ補正を行う第１ガンマ補正手段と、前記第２ゲイン補正手段によりホワイトバランス調整された前記第２撮像画像データに対して低感度画像用ガンマ値を用いてガンマ補正を行う第２ガンマ補正手段」とを有するのに対し、引用発明１は当該構成を有しない点で相違する。
　（ｆ）「前記第１ガンマ補正手段によるガンマ補正後の前記第１撮像画像データと前記第２ガンマ補正手段によるガンマ補正後の前記第２撮像画像データとを合成して合成画像データを生成する画像合成手段」について
　引用発明１も、「合成を行う前の露光量の異なる２つの撮像信号に対して、同一のホワイトバランス補正値を用いてホワイトバランス補正を行い、２つの異なる露光量の撮像信号を生成し合成する」ことから、ホワイトバランス補正を行った後、補正後の２つの信号を合成しているものであり、「前記（ホワイトバランス補正後の）第１撮像画像データと前記（ホワイトバランス補正後の）第２撮像画像データとを合成して合成画像データを生成する画像合成手段」を有するということができ、この点では補正後発明１と一致する。
　もっとも、補正後発明１は、合成する第１撮像画像データが「前記第１ガンマ補正手段によるガンマ補正後の」前記第１撮像画像データであり、第２撮像画像データが「前記第２ガンマ補正手段によるガンマ補正後の」前記第２撮像画像データであるのに対し、引用発明１は「第１ガンマ補正手段」、「第２ガンマ補正手段」を有しないため、合成する画像データが「
ガンマ補正後の
ガンマ補正後の
　（ｇ）「撮像装置」について
　引用発明１の「電子カメラ」は「撮像装置」といえる。
　
（２）以上の対比結果（ａ）ないし（ｇ）によれば、補正後発明１と引用発明１の一致点・相違点は、次のとおりである。
　
［一致点］
　高感度画像撮像用及び低感度画像撮像用の固体撮像素子と、
　高感度画像撮像による第１撮像画像データに基づいてホワイトバランス調整を行うゲイン値を算出するゲイン算出手段と、
　前記高感度画像撮像による第１撮像画像データに対して前記ゲイン算出手段で算出された前記ゲイン値を用いてホワイトバランス調整を行う第１ゲイン補正手段と、前記低感度画像撮像による第２撮像画像データに対して前記ゲイン算出手段で算出された前記ゲイン値を用いてホワイトバランス調整を行う第２ゲイン補正手段と、
　前記ホワイトバランス調整後の第１撮像画像データと前記ホワイトバランス調整後の第２撮像画像データとを合成して合成画像データを生成する画像合成手段とを備えることを特徴とする撮像装置。
［相違点］　 
＜相違点１＞
　補正後発明１は、「高感度画像撮像用の第１固体撮像素子及び低感度画像撮像用の第２固体撮像素子」の両方を搭載しているので、そのため、補正後発明１の「高感度画像撮像による第１撮像画像データ」、「低感度画像撮像による第２撮像画像データ」は、それぞれ、「第１固体撮像素子」及び「第２固体撮像素子」によるものであるのに対し、
　引用発明１は、単一の撮像素子で高感度画像撮像と低感度画像撮像の両方を行っているので、そのため、引用発明１は、「高感度画像撮像による第１撮像画像データ」、「低感度画像撮像による第２撮像画像データ」が、ともに、単一の撮像素子によるものである点。
＜相違点２＞
　補正後発明１は、「第１撮像画像データの積算値から」ゲイン値を算出しているのに対して、
　引用発明１は、ゲイン値の算出が、「第１撮像画像データに基づいて」はいるが、「第１撮像画像データの
積算値
＜相違点３＞
　補正後発明１は、「第１撮像画像データに対してオフセット処理を行う第１オフセット補正手段と、第２撮像画像データに対してオフセット処理を行う第２オフセット補正手段」とを有しているのに対して、
　引用発明１は、「第１オフセット補正手段」、「第２オフセット補正手段」を有しない点。
＜相違点４＞
　補正後発明１は、「前記第１ゲイン補正手段によりホワイトバランス調整された前記第１撮像画像データに対して高感度画像用ガンマ値を用いてガンマ補正を行う第１ガンマ補正手段と、前記第２ゲイン補正手段によりホワイトバランス調整された前記第２撮像画像データに対して低感度画像用ガンマ値を用いてガンマ補正を行う第２ガンマ補正手段」とを有し、そのため、補正後発明１は「第１ガンマ補正手段によるガンマ補正後の前記第１撮像画像データと前記第２ガンマ補正手段によるガンマ補正後の前記第２撮像画像データとを合成」しているのに対し
　引用発明１は「ガンマ補正を行う第１ガンマ補正手段」、「ガンマ補正を行う第２ガンマ補正手段」を有せず、そのため、引用発明１は「第１撮像画像データと第２撮像画像データとを合成」している点。
　 　　　　　　　　 
（３）相違点の判断 
ア．相違点１について
　撮像装置において、高感度画像（露光量の大きい画像）撮像用の固体撮像素子と低感度画像（露光量の小さい画像）撮像用の固体撮像素子を両方搭載し、高感度画像と低感度画像を同時に得て、両者の画像を合成することは周知・慣用技術である（上記刊行物２：特開平１１−９８４１８号公報）。
　特に、上記刊行物２の【０００２】−【０００５】を見れば、従来のものにおいては、第１の露光量と第２の露光量で撮像する際、一つの撮像素子で撮像を行っているいることから「露光時間の異なる撮像を異なる時刻で撮像しているため、物体が高速に移動する場合には、滑らかな合成が得られないという問題がある」という問題を有しており、これを解決するため二つの撮像素子を設けたことが理解できる。
　してみると、引用発明１においても二つの露光量で撮像する際、一つの撮像素子を用いているから、刊行物２に記載されるような課題が内在していることは明らかであり、当該課題を解決するため、「高感度画像撮像用の第１固体撮像素子及び低感度画像撮像用の第２固体撮像素子」の両方を搭載し、第１撮像画像データ及び第２撮像画像データを、それぞれ「前記第１固体撮像素子」及び「前記第２固体撮像素子」によるものとすることは当業者が容易に想到し得ることといえる。
イ．相違点２について　
　ホワイトバランス補正値を露光信号の積算値から算出することは普通の技術である（例えば、特開平７−２８４１１８号公報、特開平２−１９４７９２号公報、特開平４−２１３２８９号公報）から、引用発明１において、上記のような普通の技術を採用し、「積算値」からゲイン値を算出するゲイン算出手段とすることは当業者が適宜になし得ることといえる。
ウ．相違点３について
　撮像装置の信号処理技術において、ホワイトバランス補正前に撮像信号にオフセット処理を行う手段を配置することは周知・慣用技術である（例えば、特開平９−６５２１２号公報の段落【００２５】、特開平６−８６３１１号公報、特開２００２−５１２５７号公報の段落【００３１】，図１、特開２００２−１０２７５号公報）から、
　引用発明１において、そのような、周知・慣用の技術を採用し、前記第１撮像画像データに対して「オフセット処理を行う第１オフセット補正手段」と、第２撮像画像データに対して「オフセット処理を行う第２オフセット補正手段」とを設けることは当業者が容易に想到し得ることである。
エ．相違点４について
　撮像装置の信号処理技術において、高感度画像（長時間露光画像）と、低感度画像（短時間露光画像）毎に、ガンマ値を切り替えてガンマ補正処理を行うことは周知・慣用技術である（上記刊行物４：特開２００２−１３５７８７号公報）から、
　引用発明１において、前記第１ゲイン補正手段によりホワイトバランス調整された前記第１撮像画像データに対して「高感度画像用ガンマ値を用いてガンマ補正を行う第１ガンマ補正手段」と、前記第２ゲイン補正手段によりホワイトバランス調整された前記第２撮像画像データに対して「低感度画像用ガンマ値を用いてガンマ補正を行う第２ガンマ補正手段」とを設けることは当業者が容易に想到し得たことであり、ガンマ補正手段を設ければ、画像合成手段が、「前記第１ガンマ補正手段によるガンマ補正後の」前記第１撮像画像データと「前記第２ガンマ補正手段によるガンマ補正後の」前記第２撮像画像データとを合成して合成画像データを生成するものとなることは自明のことである。
　
　以上、判断したとおり、補正後発明１における上記各相違点に係る構成は、当業者が容易に想到し得たといえるものであり、また、補正後発明１の効果についてみても、上記各相違点の構成の採用に伴って当然に予測される程度のものにすぎず、格別顕著なものがあるとは認められない。　
　よって、補正後発明１は、刊行物１に記載された発明、及び周知・慣用技術に基づいて当業者が容易に発明をすることができたものである。
　
４．補正後発明３について
（１）対比（対応関係）
　補正後発明３と引用発明２を比較すると、次のことが認められる。
　（ａ）「高感度画像撮像用の第１固体撮像素子及び低感度画像撮像用の第２固体撮像素子」について
　補正後発明３の「高感度画像撮像」及び「低感度画像撮像」とは、本願明細書（段落【０００３】など）の記載によれば、それぞれ「長時間露光画像を撮像」及び「短時間露光画像を撮像」といえるところ、刊行物１には、ＣＣＤ撮像素子１を用いて、露光量の大きい撮像信号を得るための撮影は電荷蓄積時間を長く、一方、露光量の小さい撮像信号を得るための撮影は電荷蓄積時間を短くすることが記載されており（前掲（イ）、（ウ）、図２、図３）、上記「露光量の大きい撮像」及び「露光量の小さい撮像」は、それぞれ補正後発明３の「高感度画像撮像」及び「低感度画像撮像」に対応する。
　そして、引用発明２は、ＣＣＤ撮像素子を用いて「高感度画像撮像」及び「低感度画像撮像」を行っているから、引用発明２のＣＣＤ撮像素子は「高感度画像撮像用及び低感度画像撮像用撮像素子」である。
　また、ＣＣＤ撮像素子は、固体撮像素子の一つである。
　そうすると、引用発明２も「高感度画像撮像用及び低感度画像撮像用の固体撮像素子」を有するものといえ、その点では補正後発明３と変わりがない。
　もっとも、補正後発明３は、「高感度画像撮像用の第１固体撮像素子及び低感度画像撮像用の第２固体撮像素子」の両方を搭載しているのに対し、引用発明２は、単一の撮像素子で高感度画像撮像と低感度画像撮像の両方を行っている点で相違する。
　（ｂ）「前記第１固体撮像素子による第１撮像画像データの積算値からホワイトバランス調整を行うゲイン値を算出するゲイン算出手段」について
　補正後発明３の第１固体撮像素子は高感度画像撮像用であるから、「（前記第１固体撮像素子による）第１撮像画像データ」は高感度画像撮像することにより得られた画像データであることは明らかである。
　引用発明２の、２つの撮像信号のうち露光量の大きい撮像が、補正後発明３の「高感度画像撮像」に対応していることは上記（ａ）に記載したとおりであるから、露光量の大きい撮像信号は、高感度画像撮像することにより得られた信号という意味ととらえることができる。
　してみると、引用発明２の「露光量の大きい撮像信号」は、補正後発明３の「（高感度画像撮像による）第１撮像画像データ」に対応するといえる。
　また、補正後発明３のゲイン算出手段は、第１撮像画像データの積算値からホワイトバランス調整を行うゲイン値を算出するものであるから、「（高感度画像撮像による）第１撮像画像データの値に基づいてホワイトバランス調整を行うゲイン値を算出するゲイン算出手段」といえる。
　一方、引用発明２においても、「露光量の大きい撮像信号に基づいてホワイトバランス補正値を設定」している。
　そうすると、引用発明２も、（高感度画像撮像による）第１撮像画像データに基づいてホワイトバランス補正のための値を求めているものであり、算出するためには算出手段が必要なことは自明である。
　そして、そのようなホワイトバランス補正に用いる値は、ゲイン値であることは技術常識であるから、引用発明２のホワイトバランス補正に用いる値は、ホワイトバランス補正を行うゲイン値であるといいうるものである。
　さらに、補正後発明３の「ホワイトバランス調整」と引用発明２の「ホワイトバランス補正」は、ともに、ホワイトバランスを最適な状態にするといった意味で格別相違がない。このことは、補正後発明３のゲイン補正手段が、「ゲイン算出手段が算出した前記ゲイン値を用いてホワイトバランス調整を行うゲイン補正手段」とされていることからも明らかである。
　以上のことから見て、引用発明２は、補正後発明３の「高感度画像撮像による第１撮像画像データに基づいてホワイトバランス調整を行うゲイン値を算出するゲイン算出手段」を有しているといえる。
　もっとも、補正後発明３は、高感度画像撮像による第１撮像画像データが「第１固体撮像素子による」であり、第１撮像画像データの「積算値から」ホワイトバランス調整を行うゲイン値を算出ものであるのに対し、引用発明２は、高感度画像撮像による第１撮像画像データが「単一の（高感度画像撮像及び低感度画像撮像をおこなう）撮像素子による」ものであり、ゲイン値の算出が、「第１撮像画像データに基づいて」はいるものの、「第１撮像画像データの
積算値
　（ｃ）「前記第１固体撮像素子による前記第１撮像画像データと前記第２固体撮像素子による第２撮像画像データとを合成して合成画像データを生成する画像合成手段」について
　補正後発明３の「第１撮像画像データ」に対応する構成を、引用発明２が有していることは上記（ｂ）のとおりである。
　また、補正後発明３の第２固体撮像素子は低感度画像撮像用であるから、「（前記第２固体撮像素子による）第２撮像画像データ」は低感度画像撮像することにより得られた画像データであることは明らかである。
　引用発明２の、２つの撮像信号のうち露光量の小さい撮像が、補正後発明３の低感度画像撮像に対応していることは上記（ａ）に記載したとおりであるから、露光量の小さい撮像信号は、低感度画像撮像することにより得られた信号という意味ととらえることができる。
　してみると、引用発明２の「露光量の小さい撮像信号」は、補正後発明３の「（低感度画像撮像による）第２撮像画像データ」に対応するといえる。
　そして、引用発明２は「露光量の異なる複数の撮像信号を読み出し合成を行う」ものであるから、そのための画像合成手段を有していることも明らかである。
　以上のことから見て、引用発明２も、「前記高感度画像撮像による第１撮像画像データと低感度画像撮像による第２撮像画像データとを合成して合成画像データを生成する画像合成手段」を有するものといえる。
　もっとも、補正後発明３は、前記高感度画像撮像による第１撮像画像データ及び低感度画像撮像による第２撮像画像データが、それぞれ「前記第１固体撮像素子による」及び「前記第２固体撮像素子による」ものであるのに対し、引用発明２は、高感度画像撮像による第１撮像画像データ及び低感度画像撮像による第２撮像画像データが「単一の（高感度画像撮像及び低感度画像撮像をおこなう）撮像素子による」撮像画像データである点で相違する。
　（ｄ）「該画像合成手段で合成された前記合成画像データに対してニー補正処理を施すニー補正手段」
　引用発明２は、ニー補正処理を施すニー補正手段を有していない。
　したがって、補正後発明３は「該画像合成手段で合成された前記合成画像データに対してニー補正処理を施すニー補正手段」を有するのに対し、引用発明２は当該構成を有しない点で相違する。
　（ｅ）「該ニー補正処理後の前記合成画像データに対し前記ゲイン算出手段が算出した前記ゲイン値を用いてホワイトバランス調整を行うゲイン補正手段」について
　引用発明２は、「ホワイトバランス補正値を、２つの撮像信号のうち、露光量の大きい撮像信号に基づいて設定し、合成後の画像に対してホワイトバランス補正を行う」ものである。また、そのホワイトバランス補正が、ゲイン値を用いてなされることも技術常識からみて明らかである。
　そうすると、引用発明２も、「前記合成画像データに対し前記ゲイン算出手段が算出した前記ゲイン値を用いてホワイトバランス調整を行うゲイン補正手段」を有するものといえ、その点では補正後発明３と変わりがない。
　もっとも、補正後発明３は「
該ニー補正処理後の
　（ｆ）「該ホワイトバランス調整後の前記合成画像データに対してガンマ補正処理を行うガンマ補正手段」について
　引用発明は、ガンマ補正を行うガンマ補正手段を有していない。
　したがって、補正後発明３は、「該ホワイトバランス調整後の前記合成画像データに対してガンマ補正処理を行うガンマ補正手段」を有するのに対し、引用発明２は「ガンマ補正手段」を有しない点で相違する。
　（ｇ）「撮像装置」について
　引用発明２の「電子カメラ」も、「撮像装置」といえる。
　
（２）以上の対比結果（ａ）ないし（ｇ）によれば、補正後発明３と引用発明２の一致点・相違点は、次のとおりである。
［一致点］
　高感度画像撮像用及び低感度画像撮像用の固体撮像素子と、
　高感度画像撮像による第１撮像画像データに基づいてホワイトバランス調整を行うゲイン値を算出するゲイン算出手段と、
　前記高感度画像撮像による第１撮像画像データと低感度画像撮像による第２撮像画像データとを合成して合成画像データを生成する画像合成手段と、
　前記合成画像データに対し前記ゲイン算出手段が算出した前記ゲイン値を用いてホワイトバランス調整を行うゲイン補正手段とを備えることを特徴とする撮像装置。
［相違点］　 
＜相違点１＞
　補正後発明３は、「高感度画像撮像用の第１固体撮像素子及び低感度画像撮像用の第２固体撮像素子」の両方を搭載し、そのため、補正後発明３の「第１撮像画像データ」、「第２撮像画像データ」は、それぞれ、「第１固体撮像素子」及び「第２固体撮像素子」によるものであるのに対し、
　引用発明２は、単一の撮像素子で高感度画像撮像と低感度画像撮像の両方を行っているので、そのため、引用発明２は「高感度画像撮像による第１撮像画像データ」、「低感度画像撮像による第２撮像画像データ」が、ともに、単一の撮像素子によるものである点。
＜相違点２＞
　補正後発明３は、「第１撮像画像データの積算値から」ゲイン値を算出しているのに対して、
　引用発明２は、ゲイン値の算出が、「第１撮像画像データに基づいて」はいるが、「第１撮像画像データの
積算値
＜相違点３＞
　補正後発明３は、「該画像合成手段で合成された前記合成画像データに対してニー補正処理を施すニー補正手段」を有し、そのため、補正後発明３は、「
該ニー補正処理後の
　引用発明２は、「ニー補正手段」を有しておらず、そのため、引用発明２は、「合成画像データに対しホワイトバランス調整を行う」ものである点。
＜相違点４＞
　補正後発明３は、「該ホワイトバランス調整後の前記合成画像データに対してガンマ補正処理を行うガンマ補正手段」を有するのに対し、
　引用発明２は「ガンマ補正手段」を有しない点で相違する。
　
（３）相違点の判断 
ア．相違点１について
　撮像装置において、高感度画像（露光量の大きい画像）撮像用の固体撮像素子と低感度画像（露光量の小さい画像）撮像用の固体撮像素子を両方搭載し、高感度画像と低感度画像を同時に得て、両者の画像を合成することは周知・慣用技術である（上記刊行物２：特開平１１−９８４１８号公報）。
　特に、上記刊行物２の【０００２】−【０００５】を見れば、従来のものにおいては、第１の露光量と第２の露光量で撮像する際、一つの撮像素子で撮像を行っているいることから「露光時間の異なる撮像を異なる時刻で撮像しているため、物体が高速に移動する場合には、滑らかな合成が得られないという問題がある」という問題を有しており、これを解決するため二つの撮像素子を設けたことが理解できる。
　してみると、引用発明２においても２つの露光量で撮像する際、一つの撮像素子を用いているから、刊行物２に記載されるような課題が内在していることは明らかであり、当該課題を解決するため、「高感度画像撮像用の第１固体撮像素子及び低感度画像撮像用の第２固体撮像素子」の両方を搭載し、第１撮像画像データ及び第２撮像画像データを、それぞれ「前記第１固体撮像素子による」及び「前記第２固体撮像素子による」ものとすることは当業者が容易に想到し得ることといえる。
イ．相違点２について　
　ホワイトバランス補正値を露光信号の積算値から算出することは普通の技術である（例えば、特開平７−２８４１１８号公報、特開平２−１９４７９２号公報、特開平４−２１３２８９号公報）から、引用発明２において、上記のような普通の技術を採用し、「積算値」からゲイン値を算出するゲイン算出手段とすることは当業者が適宜になし得ることといえる。
ウ．相違点３について
　撮像装置の信号処理技術において、ニー補正処理後にホワイトバランス補正を行うことは周知・慣用技術である（例えば、特開平１−２３１５７６号公報（図１，図２））から、引用発明２において、該画像合成手段で合成された前記合成画像データに対して「ニー補正処理を施すニー補正手段」を設け、「該ニー補正処理後の」前記合成画像データに対しホワイトバランス調整を行うことは当業者が容易に想到し得ることといえる。
エ．相違点４について
　撮像装置の信号処理技術において、長時間時間露光信号と短時間露光信号とを合成処理後にガンマ補正処理を行うことは周知・慣用技術である（特開２００２−１３５７８７号公報の段落【０００３】、上記刊行物４）から、引用発明２において、ホワイトバランス調整後の合成画像データに対して「ガンマ補正処理を行うガンマ補正手段」を設けることは当業者が適宜になし得ることといえる。
　
　以上、判断したとおり、補正後発明３における上記各相違点に係る構成は、当業者が容易に想到し得たといえるものであり、また、補正後発明３の効果についてみても、上記各相違点の構成の採用に伴って当然に予測される程度のものにすぎず、格別顕著なものがあるとは認められない。 
　よって、補正後発明３は、刊行物１に記載された発明、及び周知・慣用技術に基づいて当業者が容易に発明をすることができたものである。
　
［２］独立特許要件についてのまとめ
　以上のとおりであるから、補正後発明１及び補正後発明３は、特許法第２９条第２項の規定により特許出願の際独立して特許を受けることができない。 
　よって、本件補正は、仮に、特許法第１７条の２第４項第２号の規定を満たすものであるとしても、平成１８年改正前特許法第１７条の２第５項において準用する同法第１２６条第５項の規定に違反するので、同法第１５９条第１項の規定において読み替えて準用する同法第５３条第１項の規定により却下すべきものである。 
 　 
《補正却下の決定についてのまとめ》
　以上まとめると、本件補正は、平成１８年改正前特許法第１７条の２第４項各号に掲げる事項のいずれをも目的としない特許請求の範囲に係る補正であるから、同法同条同項の規定に違反する。
　また、仮に、この補正が同法同条同項第２号に掲げる事項を目的とするものであったとしても、平成１８年改正前特許法第１７条の２第５項において準用する同法第１２６条第５項の規定に違反する。
　よって、同法第１５９条第１項において読み替えて準用する同法第５３条第１項の規定により、却下すべきものである。  
　 
第３　本願発明について 
［１］本願発明 
　平成１９年８月１６日付けの手続補正は上記のとおり却下されたので、本願の請求項１ないし請求項１２に係る発明は、本願明細書及び図面（平成１９年５月２１日付けの手続補正書により補正された明細書及び図面）の記載からみて、それぞれ、その特許請求の範囲の請求項１ないし請求項１２に記載した事項により特定されるとおりのものであるところ、そのうち、請求項１及び請求項４に係る発明（以下、「本願発明１」及び「本願発明４」という。）は、それぞれ、下記のとおりのものである。 
　　　　　　　　　　記（本願発明１、再掲）
　高感度画像撮像用の第１固体撮像素子及び低感度画像撮像用の第２固体撮像素子と、前記第１固体撮像素子による第１撮像画像データからホワイトバランス調整を行うゲイン値を算出する算出手段と、該算出手段で算出された前記ゲイン値を用いて前記第１固体撮像素子による前記第１撮像画像データのホワイトバランス調整を行うと共に該ゲイン値を用いて前記第２固体撮像素子による第２撮像画像データのホワイトバランス調整を行うゲイン補正手段と、該ゲイン補正手段による前記ホワイトバランス調整後の前記第１撮像画像データと前記ゲイン補正手段による前記ホワイトバランス調整後の前記第２撮像画像データとを合成して合成画像データを生成する画像合成手段とを備えることを特徴とする撮像装置。
　　　　　　　　　　記（本願発明４、再掲）
　高感度画像撮像用の第１固体撮像素子及び低感度画像撮像用の第２固体撮像素子と、前記第１固体撮像素子による第１撮像画像データからホワイトバランス調整を行うゲイン値を算出する算出手段と、前記第１固体撮像素子による前記第１撮像画像データと前記第２固体撮像素子による第２撮像画像データとを合成して合成画像データを生成する画像合成手段と、該合成画像データに対して前記ゲイン値を用いてホワイトバランス調整を行うゲイン補正手段とを備えることを特徴とする撮像装置。
 　　　　　　　　　　 
［２］刊行物の記載 
　原査定の拒絶の理由に引用された刊行物１（特開平１１−１６８６５９号公報）には、前記「第２《理由２》［１］２．」に摘記したとおりの事項が記載されており、刊行物１に記載された発明として、引用発明１、２を認定することができる。 
 　　 
［３］本願発明１について
（１）対比（対応関係）
　本願発明１と引用発明１を比較すると、次のことが認められる。
　（ａ）「高感度画像撮像用の第１固体撮像素子及び低感度画像撮像用の第２固体撮像素子」について
　本願発明１の「高感度画像撮像」及び「低感度画像撮像」とは、本願明細書（段落【０００３】など）の記載によれば、それぞれ「長時間露光画像撮像」及び「短時間露光画像撮像」といえるところ、刊行物１には、ＣＣＤ撮像素子１を用いて、露光量の大きい撮像信号を得るための撮影は電荷蓄積時間を長く、一方、露光量の小さい撮像信号を得るための撮影は電荷蓄積時間を短くすることが記載されており（前掲（イ）、（ウ）、図２、図３）、上記「露光量の大きい撮像」及び「露光量の小さい撮像」は、それぞれ本願発明１の「高感度画像撮像」及び「低感度画像撮像」に対応する。
　そして、引用発明１は、ＣＣＤ撮像素子を用いて「高感度画像撮像」及び「低感度画像撮像」を行っているから、引用発明１のＣＣＤ撮像素子は「高感度画像撮像用及び低感度画像撮像用撮像素子」である。
　また、ＣＣＤ撮像素子は、固体撮像素子の一つである。
　そうすると、引用発明１も「高感度画像撮像用及び低感度画像撮像用の固体撮像素子」を有するものといえ、その点では本願発明１と変わりがない。
　もっとも、本願発明１は、「高感度画像撮像用の第１固体撮像素子及び低感度画像撮像用の第２固体撮像素子」の両方を搭載しているのに対し、引用発明１は、単一の撮像素子で高感度画像撮像と低感度画像撮像の両方を行っている点で相違する。
　（ｂ）「前記第１固体撮像素子による第１撮像画像データからホワイトバランス調整を行うゲイン値を算出する算出手段」について
　本願発明１の第１固体撮像素子は高感度画像撮像用であるから、「（前記第１固体撮像素子による）第１撮像画像データ」は高感度画像撮像することにより得られた画像データであることは明らかである。
　引用発明１の、２つの撮像信号のうち露光量の大きい撮像が、本願発明１の「高感度画像撮像」に対応していることは上記（ａ）に記載したとおりであるから、露光量の大きい撮像信号は、高感度画像撮像することにより得られた信号という意味ととらえることができる。
　してみると、引用発明１の「露光量の大きい撮像信号」は、本願発明１の「（高感度画像撮像による）第１撮像画像データ」に対応するといえる。
　そして、引用発明１においても、「露光量の大きい撮像信号に基づいてホワイトバランス補正値を求めるホワイトバランス補正値を算出」しているのであるから、（高感度画像撮像による）第１撮像画像データに基づいてホワイトバランス補正のための値を求めているものであり、算出するためには算出手段が必要なことは自明である。
　そして、そのようなホワイトバランス補正に用いる値は、ゲイン値であることが技術常識であるから、引用発明１のホワイトバランス補正に用いる値は、ホワイトバランス補正を行うゲイン値であるといいうるものである。
　さらに、本願発明１の「ホワイトバランス調整」と引用発明１の「ホワイトバランス補正」は、ともに、ホワイトバランスを最適な状態にするといった意味で格別相違がない。このことは、本願発明１のゲイン補正手段が「ホワイトバランス調整を行うゲイン補正手段」とされていることからも明らかである。
　以上のことから見て、引用発明１は、本願発明１の「高感度画像撮像による第１撮像画像データからホワイトバランス調整を行うゲイン値を算出する算出手段」を有しているといえる。
　もっとも、本願発明１は、高感度画像撮像による第１撮像画像データが「第１固体撮像素子による」ものであるのに対し、引用発明１は、高感度画像撮像による第１撮像画像データが「単一の（高感度画像撮像及び低感度画像撮像をおこなう）撮像素子による」ものである点で相違する。
　（ｃ）「該算出手段で算出された前記ゲイン値を用いて前記第１固体撮像素子による前記第１撮像画像データのホワイトバランス調整を行うと共に該ゲイン値を用いて前記第２固体撮像素子による第２撮像画像データのホワイトバランス調整を行うゲイン補正手段」について
　本願発明１の「第１撮像画像データ」に対応する構成を、引用発明１が有していることは上記（ｂ）のとおりである。
　また、本願発明１の第２固体撮像素子は低感度画像撮像用であるから、「（前記第２固体撮像素子による）第２撮像画像データ」は低感度画像撮像することにより得られた画像データであることは明らかである。
　引用発明１の、２つの撮像信号のうち露光量の小さい撮像が、本願発明１の低感度画像撮像に対応していることは上記（ａ）に記載したとおりであるから、露光量の小さい撮像信号は、低感度画像撮像することにより得られた信号という意味ととらえることができる。
　してみると、引用発明１の「露光量の小さい撮像信号」は、本願発明１の「（低感度画像撮像による）第２撮像画像データ」に対応するといえる。
　そして、引用発明１も、ホワイトバランス補正値を第１撮像画像データに基づいて求め、合成を行う前の２つの撮像信号に対して同一のホワイトバランス補正を行うものであり、ホワイトバランス補正を行うための手段を有していることは明らかである。そして、そのホワイトバランス補正が、ゲイン値によってなされることも明らかある。
　そうすると、「該算出手段で算出された前記ゲイン値を用いて前記高感度画像撮像による第１撮像画像データのホワイトバランス調整を行うと共に該ゲイン値を用いて低感度画像撮像による第２撮像画像データのホワイトバランス調整を行うゲイン補正手段」を有する点では、本願発明１と変わりがない。
　もっとも、本願発明１は、高感度画像撮像による第１撮像画像データ及び低感度画像撮像による第２撮像画像データが、それぞれ「前記第１固体撮像素子による」及び「前記第２固体撮像素子による」ものであるのに対し、引用発明１は、高感度画像撮像による第１撮像画像データ及び低感度画像撮像による第２撮像画像データが、ともに、「単一の撮像素子による」ものである点で相違する。
　（ｄ）「該ゲイン補正手段による前記ホワイトバランス調整後の前記第１撮像画像データと前記ゲイン補正手段による前記ホワイトバランス調整後の前記第２撮像画像データとを合成して合成画像データを生成する画像合成手段」について
　引用発明１も、「２つの異なる露光量の撮像信号を生成し合成する」ものであるから合成画像データを生成する画像合成手段があることは明らかである。そして、画像合成は、「合成を行う前の２つの撮影信号に対して、同一のホワイトバランス補正値を用いてホワイトバランス補正を行っている」ことから、画像合成手段は、ホワイトバランス調整後の２つの撮像信号を合成して合成画像データを生成しているものと理解できる。また、ホワイトバランス補正がゲイン値によってなされることは明らかである。したがって、引用発明１も、「該ゲイン補正手段による前記ホワイトバランス調整後の前記第１撮像画像データと前記ゲイン補正手段による前記ホワイトバランス調整後の前記第２撮像画像データとを合成して合成画像データを生成する画像合成手段」を有することは明らかである。
　（ｅ）「撮像装置」について
　引用発明１の「電子カメラ」は「撮像装置」といえる。
　
（２）以上の対比結果（ａ）ないし（ｅ）によれば、本願発明１と引用発明１との一致点・相違点は次のとおりである。
［一致点］
　高感度画像撮像用及び低感度画像撮像用の固体撮像素子と、
　高感度画像撮像による第１撮像画像データからホワイトバランス調整を行うゲイン値を算出する算出手段と、
　該算出手段で算出された前記ゲイン値を用いて前記高感度画像撮像による第１撮像画像データのホワイトバランス調整を行うと共に該ゲイン値を用いて低感度画像撮像による第２撮像画像データのホワイトバランス調整を行うゲイン補正手段と、
　該ゲイン補正手段による前記ホワイトバランス調整後の前記第１撮像画像データと前記ゲイン補正手段による前記ホワイトバランス調整後の前記第２撮像画像データとを合成して合成画像データを生成する画像合成手段とを備える
　ことを特徴とする撮像装置。
［相違点］
　本願発明１は、「高感度画像撮像用の第１固体撮像素子及び低感度画像撮像用の第２固体撮像素子」の両方を搭載しているので、そのため、補正後発明１の「高感度画像撮像による第１撮像画像データ」、「低感度画像撮像による第２撮像画像データ」は、それぞれ、「第１固体撮像素子」及び「第２固体撮像素子」によるものであるのに対し、
　引用発明１は、単一の撮像素子で高感度画像撮像と低感度画像撮像の両方を行っているので、そのため、引用発明１は、「高感度画像撮像による第１撮像画像データ」、「低感度画像撮像による第２撮像画像データ」が、ともに、単一の撮像素子によるものである点。　
（３）相違点の判断
　上記相違点は、本願発明１を補正後発明１と読み替えると、前記「第２《理由２》［１］３．（２）＜相違点１＞」と同じであり、この［相違点］についての検討内容は前記「第２《理由２》［１］３．（３）ア．」に記載したとおりであるから、本願発明１における相違点に係る構成は、当業者が容易に想到し得たことである。そして、本願発明１の効果についてみても、上記構成の採用に伴って当然に予測される程度のものにすぎず、格別顕著なものがあるとは認められない。 
　よって、本願発明１は、刊行物１に記載された発明及び周知・慣用技術に基づいて当業者が容易に発明をすることができたものである。
　
［４］本願発明４について
（１）対比（対応関係）
　本願発明４と引用発明２を比較すると、次のことが認められる。
　（ａ）「高感度画像撮像用の第１固体撮像素子及び低感度画像撮像用の第２固体撮像素子」について
　本願発明４の「高感度画像撮像」及び「低感度画像撮像」とは、本願明細書（段落【０００３】など）の記載によれば、それぞれ「長時間露光画像を撮像」及び「短時間露光画像を撮像」といえるところ、刊行物１には、ＣＣＤ撮像素子１を用いて、露光量の大きい撮像信号を得るための撮影は電荷蓄積時間を長く、一方、露光量の小さい撮像信号を得るための撮影は電荷蓄積時間を短くすることが記載されており（前掲（イ）、（ウ）、図２、図３）、上記「露光量の大きい撮像」及び「露光量の小さい撮像」は、それぞれ本願発明４の「高感度画像撮像」及び「低感度画像撮像」に対応する。
　そして、引用発明２は、ＣＣＤ撮像素子を用いて「高感度画像撮像」及び「低感度画像撮像」を行っているから、引用発明２のＣＣＤ撮像素子は「高感度画像撮像用及び低感度画像撮像用撮像素子」である。
　また、ＣＣＤ撮像素子は、固体撮像素子の一つである。
　そうすると、引用発明２も「高感度画像撮像用及び低感度画像撮像用の固体撮像素子」を有するものといえ、その点では本願発明４と変わりがない。
　もっとも、本願発明４は、「高感度画像撮像用の第１固体撮像素子及び低感度画像撮像用の第２固体撮像素子」の両方を搭載しているのに対し、引用発明２は、単一の撮像素子で高感度画像撮像と低感度画像撮像の両方を行っている点で相違する。
　（ｂ）「前記第１固体撮像素子による第１撮像画像データからホワイトバランス調整を行うゲイン値を算出する算出手段」について
　本願発明４の第１固体撮像素子は高感度画像撮像用であるから、「（前記第１固体撮像素子による）第１撮像画像データ」は高感度画像撮像することにより得られた画像データであることは明らかである。
　引用発明２の、２つの撮像信号のうち露光量の大きい撮像が、本願発明４の「高感度画像撮像」に対応していることは上記（ａ）に記載したとおりであるから、露光量の大きい撮像信号は、高感度画像撮像することにより得られた信号という意味ととらえることができる。
　してみると、引用発明２の「露光量の大きい撮像信号」は、本願発明４の「（高感度画像撮像による）第１撮像画像データ」に対応するといえる。
　また、本願発明４のゲイン算出手段は、第１撮像画像データの積算値からホワイトバランス調整を行うゲイン値を算出するものであるから、「（高感度画像撮像による）第１撮像画像データの値に基づいてホワイトバランス調整を行うゲイン値を算出するゲイン算出手段」といえる。
　また、引用発明２においても、「露光量の大きい撮像信号に基づいてホワイトバランス補正値を設定」しているのであるから、（高感度画像撮像による）第１撮像画像データに基づいてホワイトバランス補正のための値を求めているものであり、算出するためには算出手段が必要なことは自明である。
　そして、そのようなホワイトバランス補正に用いる値は、ゲイン値であることが技術常識であるから、引用発明２のホワイトバランス補正に用いる値は、ホワイトバランス補正を行うゲイン値であるといいうるものである。
　さらに、本願発明４の「ホワイトバランス調整」と引用発明２の「ホワイトバランス補正」は、ともに、ホワイトバランスを最適な状態にするといった意味で格別相違がない。このことは、本願発明４のゲイン補正手段が「ゲイン値を用いてホワイトバランス調整を行うゲイン補正手段」とされていることからも明らかである。
　以上のことから見て、引用発明２は、本願発明４の「高感度画像撮像による第１撮像画像データからホワイトバランス調整を行うゲイン値を算出する算出手段」を有しているといえる。
　もっとも、本願発明４は、高感度画像撮像による第１撮像画像データが「第１固体撮像素子による」のに対し、引用発明２は、高感度画像撮像による第１撮像画像データが「単一の（高感度画像撮像及び低感度画像撮像をおこなう）撮像素子による」ものである点で相違する。
　（ｃ）「前記第１固体撮像素子による前記第１撮像画像データと前記第２固体撮像素子による第２撮像画像データとを合成して合成画像データを生成する画像合成手段」について
　本願発明４の「第１撮像画像データ」に対応する構成を、引用発明２が有していることは上記（ｂ）のとおりである。
　また、本願発明４の第２固体撮像素子は低感度画像撮像用であるから、「（前記第２固体撮像素子による）第２撮像画像データ」は低感度画像撮像することにより得られた画像データであることは明らかである。
　引用発明２の、２つの撮像信号のうち露光量の小さい撮像が、本願発明４の低感度画像撮像に対応していることは上記（ａ）に記載したとおりであるから、露光量の小さい撮像信号は、低感度画像撮像することにより得られた信号という意味ととらえることができる。
　してみると、引用発明２の「露光量の小さい撮像信号」は、本願発明４の「（低感度画像撮像による）第２撮像画像データ」に対応するといえる。
　そして、引用発明２は「露光量の異なる複数の撮像信号を読み出し合成を行う」ものであるから、そのための画像合成手段を有していることも明らかである。
　以上のことから見て、引用発明２も、「前記高感度画像撮像による第１撮像画像データと低感度画像撮像による第２撮像画像データとを合成して合成画像データを生成する画像合成手段」を有するものといえる。
　もっとも、本願発明４は、前記高感度画像撮像による第１撮像画像データ及び低感度画像撮像による第２撮像画像データが、それぞれ「前記第１固体撮像素子による」及び「前記第２固体撮像素子による」ものであるのに対し、引用発明２は、高感度画像撮像による第１撮像画像データ及び低感度画像撮像による第２撮像画像データが「単一の（高感度画像撮像及び低感度画像撮像をおこなう）撮像素子による」撮像画像データである点で相違する。
　（ｄ）「該合成画像データに対して前記ゲイン値を用いてホワイトバランス調整を行うゲイン補正手段」について
　引用発明２も、２つの異なる露光量の撮像信号の合成処理後の画像に対して、ホワイトバランス補正値でホワイトバランス補正を行うものであり、また、ホワイトバランス補正がゲイン値によってなされることは明らかである。してみると、引用発明２が、「該合成画像データに対して前記ゲイン値を用いてホワイトバランス調整を行うゲイン補正手段」を有することは明らかであり、この点で、本願発明４と相違がない。
　（ｅ）「撮像装置」について
　引用発明２の「電子カメラ」は「撮像装置」といえる。
　
（２）以上の対比結果（ａ）ないし（ｅ）によれば、本願発明４と引用発明２との一致点・相違点は次のとおりである。
［一致点］
　高感度画像撮像用及び低感度画像撮像用の固体撮像素子と、
　高感度画像撮像による第１撮像画像データからホワイトバランス調整を行うゲイン値を算出する算出手段と、
　前記高感度画像撮像による第１撮像画像データと低感度画像撮像による第２撮像画像データとを合成して合成画像データを生成する画像合成手段と、
　該合成画像データに対して前記ゲイン値を用いてホワイトバランス調整を行うゲイン補正手段とを備える
　ことを特徴とする撮像装置。
［相違点］
　本願発明４は、「高感度画像撮像用の第１固体撮像素子及び低感度画像撮像用の第２固体撮像素子」の両方を搭載し、そのため、本願発明４の「高感度画像撮像による第１撮像画像データ」、「低感度画像撮像による第２撮像画像データ」は、それぞれ、「第１固体撮像素子」及び「第２固体撮像素子」によるものであるのに対し、
　引用発明２は、単一の撮像素子で高感度画像撮像と低感度画像撮像の両方を行っているので、そのため、引用発明２は「高感度画像撮像による第１撮像画像データ」、「低感度画像撮像による第２撮像画像データ」が、ともに、単一の撮像素子によるものである点。
　
（３）相違点の判断
　上記相違点は、本願発明４を補正後発明３と読み替えれば、前記「第２《理由２》［１］４．（２）＜相違点１＞」と同じであり、この［相違点］についての検討内容は前記「第２《理由２》［１］４．（３）ア．」に記載したとおりであるから、本願発明４における相違点に係る構成は、当業者が容易に想到し得たことである。そして、本願発明４の効果についてみても、上記構成の採用に伴って当然に予測される程度のものにすぎず、格別顕著なものがあるとは認められない。 
　よって、本願発明４は、刊行物１に記載された発明及び周知・慣用技術に基づいて当業者が容易に発明をすることができたものである。
　
［５］むすび 
　以上のとおりであるから、本願発明１及び本願発明４は、特許法第２９条第２項の規定により特許を受けることができない。
　
　したがって、本願は請求項２，３，５ないし１２に係る発明について特に検討するまでもなく拒絶されるべきものである。 
　
　よって、結論のとおり審決する。